(57)【要約】【課題】被介護者を容易に移乗させることができる介護用椅子を提供する。【解決手段】介護用椅子２は、本体部６と、前輪２８及び後輪３２と、本体部６にそれぞれが独立して移動可能に支持された左側座部８ａ及び右側座部８ｂと、本体部６にそれぞれが独立して昇降可能に支持された左側フットレスト１０ａ及び右側フットレスト１０ｂとを備える。左側座部８ａは、左側フットレスト１０ａが右側フットレスト１０ｂよりも上方に位置した状態で、被介護者４の臀部を支持する第１の支持位置と、被介護者４の臀部を支持しない第１の非支持位置との間を移動可能であり、右側座部８ｂは、右側フットレスト１０ｂが左側フットレスト１０ａよりも上方に位置した状態で、被介護者４の臀部を支持する第２の支持位置と、被介護者４の臀部を支持しない第２の非支持位置との間を移動可能である。【選択図】図１０Ｄ
2018023752.tif 000002
【特許請求の範囲】
【請求項１】
被介護者が着座するための介護用椅子であって、
本体部と、
前記本体部を移動させるための車輪と、
前記本体部にそれぞれが独立して移動可能に支持され、左右にそれぞれ配置された左側座部及び右側座部と、
前記本体部にそれぞれが独立して昇降可能に支持され、左右にそれぞれ配置された左側フットレスト及び右側フットレストと、を備え、
前記左側座部は、前記左側フットレストが前記右側フットレストよりも上方に位置した状態で、前記被介護者の臀部を支持する第１の支持位置と、前記被介護者の前記臀部を支持しない第１の非支持位置との間を移動可能であり、
前記右側座部は、前記右側フットレストが前記左側フットレストよりも上方に位置した状態で、前記被介護者の前記臀部を支持する第２の支持位置と、前記被介護者の前記臀部を支持しない第２の非支持位置との間を移動可能である
介護用椅子。
【請求項２】
前記介護用椅子は、さらに、前記本体部にそれぞれが独立して傾動可能に支持され、左右にそれぞれ配置された左側アームレスト及び右側アームレストを備え、
前記左側アームレストは、前記右側フットレストが前記左側フットレストよりも上方に位置した状態で、前記本体部よりも外側に傾動可能であり、
前記右側アームレストは、前記左側フットレストが前記右側フットレストよりも上方に位置した状態で、前記本体部よりも外側に傾動可能である
請求項１に記載の介護用椅子。
【請求項３】
前記介護用椅子は、さらに、前記右側アームレストの傾動動作と前記左側フットレストの昇降動作とを連動させ、且つ、前記左側アームレストの傾動動作と前記右側フットレストの昇降動作とを連動させる連動機構を備える
請求項２に記載の介護用椅子。
【請求項４】
前記介護用椅子は、さらに、
前記左側アームレストから前方に突出した左側取っ手と、
前記右側アームレストから前方に突出した右側取っ手と、を備える
請求項２又は３に記載の介護用椅子。
【請求項５】
前記左側アームレストは、前記本体部よりも外側に傾動した際に、着座している前記被介護者の少なくとも左腋窩部を支持し、
前記右側アームレストは、前記本体部よりも外側に傾動した際に、着座している前記被介護者の少なくとも右腋窩部を支持する
請求項２〜４のいずれか１項に記載の介護用椅子。
【請求項６】
前記介護用椅子は、さらに、前記本体部に回動可能に支持され、左右にそれぞれ配置された左側背もたれ部及び右側背もたれ部を備え、
前記左側背もたれ部及び前記右側背もたれ部はそれぞれ、前記左側アームレスト及び前記右側アームレストと一体的に傾動する
請求項２〜５のいずれか１項に記載の介護用椅子。
【請求項７】
前記介護用椅子は、さらに、
前記左側アームレストが前記本体部よりも外側に傾動した際に、前記左側アームレストを前記本体部の内側に向けて付勢する第１の弾性部材と、
前記右側アームレストが前記本体部よりも外側に傾動した際に、前記右側アームレストを前記本体部の内側に向けて付勢する第２の弾性部材と、を備える
請求項２〜６のいずれか１項に記載の介護用椅子。
【請求項８】
前記左側アームレストは、前記本体部に傾動可能に支持された左側支持フレームを有し、
前記右側アームレストは、前記本体部に傾動可能に支持された右側支持フレームを有し、
前記第１の弾性部材は、コイルバネで構成され、前記左側支持フレームに沿って伸縮可能に配置され、
前記第２の弾性部材は、コイルバネで構成され、前記右側支持フレームに沿って伸縮可能に配置されている
請求項７に記載の介護用椅子。
【請求項９】
前記第１の弾性部材及び前記第２の弾性部材の各々は、コイルバネで構成され、水平方向に沿って伸縮可能に配置されている
請求項７に記載の介護用椅子。
【請求項１０】
前記介護用椅子は、さらに、前記左側座部及び前記右側座部をそれぞれ前記第１の支持位置及び前記第２の支持位置に固定する固定部を備える
請求項１〜９のいずれか１項に記載の介護用椅子。
【請求項１１】
前記左側座部は、前記第１の支持位置から前記第１の非支持位置に移動することにより、略水平姿勢から略垂直姿勢に旋回し、
前記右側座部は、前記第２の支持位置から前記第２の非支持位置に移動することにより、略水平姿勢から略垂直姿勢に旋回する
請求項１〜１０のいずれか１項に記載の介護用椅子。
【請求項１２】
前記左側座部は、前記第１の支持位置と前記第１の非支持位置との間を、略水平姿勢を保った状態でスライド移動し、
前記右側座部は、前記第２の支持位置と前記第２の非支持位置との間を、略水平姿勢を保った状態でスライド移動する
請求項１〜１０のいずれか１項に記載の介護用椅子。
【請求項１３】
前記左側座部は、前記右側座部に対向する位置に形成された第１の凹部を有し、
前記右側座部は、前記左側座部に対向する位置に形成された第２の凹部を有し、
前記第１の凹部及び前記第２の凹部は、前記左側座部及び前記右側座部がそれぞれ洋式便器の便座上で前記第１の支持位置及び前記第２の支持位置に位置した際に、前記便座の開口部を露出させる
請求項１〜１２のいずれか１項に記載の介護用椅子。
【請求項１４】
前記左側フットレスト及び前記右側フットレストの各々は、下限位置と上限位置との間を独立して昇降可能であり、
前記左側フットレストは、前記下限位置に位置した際には、水平方向に対して略平行な略水平姿勢となり、前記上限位置に位置した際には、前記水平方向に対して且つ前記右側フットレストに向けて下り傾斜する傾斜姿勢となり、
前記右側フットレストは、前記下限位置に位置した際には、前記水平方向に対して略平行な略水平姿勢となり、前記上限位置に位置した際には、前記水平方向に対して且つ前記左側フットレストに向けて下り傾斜する傾斜姿勢となる
請求項１〜１３のいずれか１項に記載の介護用椅子。
【請求項１５】
前記左側フットレスト及び前記右側フットレストの各々は、前記下限位置から前記上限位置に上昇している状態で、略水平姿勢から傾斜姿勢に傾動する
請求項１４に記載の介護用椅子。
【請求項１６】
前記左側フットレスト及び前記右側フットレストの各々は、前記上限位置に位置している状態で、略水平姿勢から傾斜姿勢に傾動する
請求項１４に記載の介護用椅子。
【請求項１７】
前記左側フットレスト及び前記右側フットレストの各々は、傾斜姿勢において前記水平方向に対して１０°〜３０°の角度で傾斜して配置される
請求項１４〜１６のいずれか１項に記載の介護用椅子。
【請求項１８】
前記介護用椅子は、さらに、前記本体部に昇降可能に支持され、前記車輪よりも大径の補助車輪を備える
請求項１〜１７のいずれか１項に記載の介護用椅子。
【発明の詳細な説明】
【技術分野】
【０００１】
本発明は、被介護者が着座するための介護用椅子に関する。
【背景技術】
【０００２】
例えば身体障害者、高齢者又は負傷者等の介護を要する人（以下、「被介護者」という）が着座するための介護用椅子が知られている（例えば、特許文献１参照）。従来の介護用椅子は、本体部と、本体部に支持された座部と、本体部を移動させるための複数の車輪とを備えている。被介護者が座部に着座した状態で、介護者が介護用椅子を前方に押しながら歩くことにより、被介護者を例えばベッドからトイレまで移動させることができる。
【先行技術文献】
【特許文献】
【０００３】
【特許文献１】特開２０１４−９１０２９号公報
【発明の概要】
【発明が解決しようとする課題】
【０００４】
しかしながら、上述した従来の介護用椅子では、被介護者を例えばベッドから介護用椅子に移乗させる際に、介護者が被介護者を抱きかかえながら座部に着座させる必要があるため、介護者の身体的負担が大きいという課題がある。
【０００５】
本発明は、このような課題に鑑みてなされたものであり、被介護者を容易に移乗させることができる介護用椅子を提供することを目的とする。
【課題を解決するための手段】
【０００６】
上記課題を解決するために、本発明の一態様に係る介護用椅子は、被介護者が着座するための介護用椅子であって、本体部と、前記本体部を移動させるための車輪と、前記本体部にそれぞれが独立して移動可能に支持され、左右にそれぞれ配置された左側座部及び右側座部と、前記本体部にそれぞれが独立して昇降可能に支持され、左右にそれぞれ配置された左側フットレスト及び右側フットレストと、を備え、前記左側座部は、前記左側フットレストが前記右側フットレストよりも上方に位置した状態で、前記被介護者の臀部を支持する第１の支持位置と、前記被介護者の前記臀部を支持しない第１の非支持位置との間を移動可能であり、前記右側座部は、前記右側フットレストが前記左側フットレストよりも上方に位置した状態で、前記被介護者の前記臀部を支持する第２の支持位置と、前記被介護者の前記臀部を支持しない第２の非支持位置との間を移動可能である。
【発明の効果】
【０００７】
本発明の一態様に係る介護用椅子によれば、被介護者を容易に移乗させることができる。
【図面の簡単な説明】
【０００８】
【図１】実施の形態１に係る介護用椅子の外観を示す斜視図である。
【図２】実施の形態１に係る介護用椅子の使用状態を示す斜視図である。
【図３】実施の形態１に係る左側フットレスト及び第１の昇降機構を拡大して示す斜視図である。
【図４】図３とは異なる角度から、実施の形態１に係る左側フットレスト及び第１の昇降機構を拡大して示す斜視図である。
【図５】実施の形態１に係る右側アームレストの一部を拡大して示す斜視図である。
【図６】図５のＶＩ−ＶＩ線断面斜視図である。
【図７】図５のＶＩＩ−ＶＩＩ線断面斜視図である。
【図８】実施の形態１に係る左側背もたれ部を拡大して示す斜視図である。
【図９】図８のＩＸ−ＩＸ線断面斜視図である。
【図１０Ａ】実施の形態１に係る介護用椅子の使用方法の一例を説明するための斜視図である。
【図１０Ｂ】実施の形態１に係る介護用椅子の使用方法の一例を説明するための斜視図である。
【図１０Ｃ】実施の形態１に係る介護用椅子の使用方法の一例を説明するための斜視図である。
【図１０Ｄ】実施の形態１に係る介護用椅子の使用方法の一例を説明するための斜視図である。
【図１０Ｅ】実施の形態１に係る介護用椅子の使用方法の一例を説明するための斜視図である。
【図１１】実施の形態１に係る介護用椅子の使用方法の他の例を説明するための斜視図である。
【図１２】実施の形態２に係る介護用椅子の外観を示す斜視図である。
【図１３】実施の形態２に係る左側座部及び右側座部を拡大して示す斜視図である。
【図１４】実施の形態３に係る介護用椅子を示す平面図である。
【図１５】実施の形態４に係る介護用椅子の構成を簡略的に示す図である。
【図１６】実施の形態４に係る介護用椅子の使用例を示す図である。
【図１７】実施の形態５に係る介護用椅子の構成を簡略的に示す図である。
【図１８Ａ】実施の形態６に係る介護用椅子の構成を簡略的に示す図である。
【図１８Ｂ】実施の形態６に係る介護用椅子の構成を簡略的に示す図である。
【図１９】実施の形態７に係る介護用椅子の外観を示す斜視図である。
【図２０】実施の形態７に係る介護用椅子の第１の弾性部材の機能を説明するための図である。
【図２１】実施の形態８に係る介護用椅子の第１の弾性部材の機能を説明するための図である。
【図２２】実施の形態９に係る介護用椅子の外観を示す斜視図である。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態１）
以下、実施の形態１に係る介護用椅子について説明する。
【００１２】
［１−１．介護用椅子の全体構成］
まず、図１を参照しながら、実施の形態１に係る介護用椅子２の全体構成について説明する。図１は、実施の形態１に係る介護用椅子２の外観を示す斜視図である。
【００１３】
実施の形態１に係る介護用椅子２は、例えば病院、介護施設又は一般家庭等において被介護者４（後述する図１０Ａ参照）により使用される移動式の椅子である。介護者（図示せず）が介護用椅子２を前方に押しながら（又は手前に引きながら）歩くことにより、被介護者４は、介護用椅子２に着座した状態で移動することができる。
【００１４】
図１に示すように、介護用椅子２は、本体部６と、左側座部８ａ及び右側座部８ｂと、左側フットレスト１０ａ及び右側フットレスト１０ｂと、左側アームレスト１２ａ及び右側アームレスト１２ｂと、左側背もたれ部１４ａ及び右側背もたれ部１４ｂとを備えている。以下、介護用椅子２の各構成要素について詳細に説明する。
【００１５】
なお、本明細書において、「左側」とは、介護用椅子２に着座している被介護者４から見て左側（Ｘ軸のプラス側）を意味する。また、「右側」とは、介護用椅子２に着座している被介護者４から見て右側（Ｘ軸のマイナス側）を意味する。
【００１６】
［１−２．本体部］
次に、図１を参照しながら、本体部６について説明する。本体部６は、例えば金属製のパイプ等で形成され、介護用椅子２のフレームとして機能する。
【００１７】
図１に示すように、本体部６は、第１のフレーム１６と、第２のフレーム１８と、第３のフレーム２０と、第４のフレーム２２と、第５のフレーム２４とを有している。
【００１８】
第１のフレーム１６は、略Ｕ字状に形成されており、介護用椅子２の前側に配置されている。第１のフレーム１６は、略水平に延びる水平部１６ａと、水平部１６ａの左側の端部から上方（Ｚ軸のプラス側）に略垂直に延びる左側垂直部１６ｂと、水平部１６ａの右側の端部から上方に略垂直に延びる右側垂直部１６ｃとを有している。水平部１６ａの両端部にはそれぞれ、一対の支持プレート２６が固定されている。一対の支持プレート２６の各下面にはそれぞれ、介護用椅子２を移動させるための一対の前輪２８（車輪の一例）が支持されている。なお、一対の前輪２８の各々は、例えば自在キャスタである。
【００１９】
第２のフレーム１８は、直線状に形成されており、第１のフレーム１６の右側垂直部１６ｃの上端部から介護用椅子２の後方（Ｙ軸のプラス側）に向けて略水平に延びている。後述する図６に示すように、第２のフレーム１８の一端部は、第１のフレーム１６の右側垂直部１６ｃの上端部にネジ３０で固定されている。
【００２０】
第３のフレーム２０は、直線状に形成されており、第１のフレーム１６の左側垂直部１６ｂの上端部から介護用椅子２の後方に向けて略水平に延びている。上述と同様に、第３のフレーム２０の一端部は、第１のフレーム１６の左側垂直部１６ｂの上端部にネジ（図示せず）で固定されている。
【００２１】
第４のフレーム２２は、略Ｌ字状に形成されており、第２のフレーム１８の一端部から下方に略垂直に延びて屈曲した後に、介護用椅子２の後方に向けて略水平に延びている。後述する図６に示すように、第４のフレーム２２の一端部は、第２のフレーム１８の一端部にネジ３０で固定されている。第４のフレーム２２の他端部には、介護用椅子２を移動させるための複数の後輪３２（車輪の一例）が支持されている。なお、複数の後輪３２の各々は、例えば固定キャスタである。
【００２２】
第５のフレーム２４は、略Ｌ字状に形成されており、第３のフレーム２０の一端部から下方に略垂直に延びて屈曲した後に、介護用椅子２の後方に向けて略水平に延びている。上述と同様に、第５のフレーム２４の一端部は、第３のフレーム２０の一端部にネジ（図示せず）で固定されている。第５のフレーム２４の他端部には、介護用椅子２を移動させるための複数の後輪３２（車輪の一例）が支持されている。
【００２３】
［１−３．左側座部及び右側座部］
次に、図１及び図２を参照しながら、左側座部８ａ及び右側座部８ｂについて説明する。図２は、実施の形態１に係る介護用椅子２の使用状態を示す斜視図である。
【００２４】
図１に示すように、左側座部８ａ及び右側座部８ｂは、着座した被介護者４の臀部を支持（載置）するためのものであり、左右にそれぞれ配置されている。
【００２５】
左側座部８ａは、板状に形成されており、略Ｌ字状の一対のリンク３４を介して第３のフレーム２０に旋回（移動の一例）可能に支持されている。左側座部８ａの前後方向（Ｙ軸方向）における両側部にはそれぞれ、一対の溝部３８（図１及び図２では一方の溝部３８のみ示す）が形成されている。一対の溝部３８の各々は、左側座部８ａの厚み方向に対して略垂直な方向に長尺状に延びている。一対のリンク３４は、第３のフレーム２０の長手方向に間隔を置いて配置され、第３のフレーム２０に回動可能に支持されている。図２に示すように、一対のリンク３４の各々の先端部にはそれぞれ、一対の溝部３８に向けて突出する一対の突起３６が形成されている。突起３６は、溝部３８に移動可能に挿入されている。
【００２６】
突起３６が溝部３８に対して溝部３８の長手方向に沿って移動することにより、左側座部８ａは、第１の支持位置（図１参照）と第１の非支持位置（図２参照）との間を旋回する。図１に示すように、第１の支持位置は、第２のフレーム１８と第３のフレーム２０との間において左側座部８ａが略水平姿勢となる位置である。一方、図２に示すように、第１の非支持位置は、第３のフレーム２０よりも外側において左側座部８ａが略垂直姿勢となる位置である。したがって、左側座部８ａは、第１の支持位置では被介護者４の臀部を支持し、第１の非支持位置では被介護者４の臀部を支持しない。なお、左側座部８ａには、左側座部８ａを第１の非支持位置で固定するためのストッパ機構（図示せず）が設けられている。
【００２７】
右側座部８ｂは、板状に形成されており、略Ｌ字状の一対のリンク４０を介して第２のフレーム１８に旋回（移動の一例）可能に支持されている。右側座部８ｂの前後方向（Ｙ軸方向）における両側部にはそれぞれ、一対の溝部４４（図１及び図２では一方の溝部４４のみ示す）が形成されている。一対の溝部４４の各々は、右側座部８ｂの厚み方向に対して略垂直な方向に長尺状に延びている。一対のリンク４０は、第２のフレーム１８の長手方向に間隔を置いて配置され、第２のフレーム１８に回動可能に支持されている。一対のリンク４０の各々の先端部にはそれぞれ、一対の溝部４４に向けて突出する一対の突起４２が形成されている。突起４２は、溝部４４に移動可能に挿入されている。
【００２８】
突起４２が溝部４４に対して溝部４４の長手方向に沿って移動することにより、右側座部８ｂは、左側座部８ａと同様に、第２の支持位置（図１及び図２参照）と第２の非支持位置（後述する図１０Ａ参照）との間を旋回する。図１及び図２に示すように、第２の支持位置は、第２のフレーム１８と第３のフレーム２０との間において右側座部８ｂが略水平姿勢となる位置である。一方、後述する図１０Ａに示すように、第２の非支持位置は、第２のフレーム１８よりも外側において右側座部８ｂが略垂直姿勢となる位置である。したがって、右側座部８ｂは、第２の支持位置では被介護者４の臀部を支持し、第２の非支持位置では被介護者４の臀部を支持しない。なお、右側座部８ｂには、右側座部８ｂを第２の非支持位置で固定するためのストッパ機構（図示せず）が設けられている。
【００２９】
左側座部８ａ及び右側座部８ｂはそれぞれ独立して旋回することができる。被介護者４が左側座部８ａ及び右側座部８ｂに着座する場合には、左側座部８ａ及び右側座部８ｂをそれぞれ第１の支持位置及び第２の支持位置に位置させる。一方、被介護者４が左側座部８ａ及び右側座部８ｂに着座しない場合には、左側座部８ａ及び右側座部８ｂをそれぞれ第１の非支持位置及び第２の非支持位置に位置させる。
【００３０】
左側座部８ａの右側座部８ｂに対向する位置には、第１の凹部４６が形成されている。また、右側座部８ｂの左側座部８ａに対向する位置には、第２の凹部４８が形成されている。後述する図１１に示すように、第１の凹部４６及び第２の凹部４８は、左側座部８ａ及び右側座部８ｂがそれぞれ洋式便器５０の便座５２上で第１の支持位置及び第２の支持位置に位置した際に、便座５２の開口部５２ａを露出させる形状を有している。
【００３１】
［１−４．左側フットレスト及び右側フットレスト］
次に、図１〜図４を参照しながら、左側フットレスト１０ａ及び右側フットレスト１０ｂについて説明する。図３は、実施の形態１に係る左側フットレスト１０ａ及び第１の昇降機構５４を拡大して示す斜視図である。図４は、図３とは異なる角度から、実施の形態１に係る左側フットレスト１０ａ及び第１の昇降機構５４を拡大して示す斜視図である。
【００３２】
図１及び図２に示すように、左側フットレスト１０ａ及び右側フットレスト１０ｂはそれぞれ、着座した被介護者４の左足及び右足を支持（載置）するためのものであり、左右にそれぞれ配置されている。
【００３３】
左側フットレスト１０ａは、板状に形成されており、第１の昇降機構５４を介して本体部６に下限位置（図１参照）と上限位置（図２及び後述する図１０Ｄ参照）との間を昇降可能に支持されている。右側フットレスト１０ｂは、第２の昇降機構５６を介して本体部６に下限位置（図１参照）と上限位置（後述する図１０Ｅ参照）との間を昇降可能に支持されている。
【００３４】
第１の昇降機構５４及び第２の昇降機構５６はそれぞれ、左側フットレスト１０ａ及び右側フットレスト１０ｂを昇降させるための機構であり、一対の支持プレート２６の各上面に支持されている。第１の昇降機構５４及び第２の昇降機構５６はそれぞれ独立して動作するため、左側フットレスト１０ａ及び右側フットレスト１０ｂはそれぞれ独立して昇降することができる。なお、左側フットレスト１０ａ及び右側フットレスト１０ｂの各々は、略水平姿勢（水平方向に対して略平行な姿勢）を保ちながら下限位置と上限位置との間を昇降する。第１の昇降機構５４及び第２の昇降機構５６の各々の構成及び動作は同一（又は左右対称）であるため、以下では、第１の昇降機構５４の構成及び動作についてのみ説明する。
【００３５】
図３及び図４に示すように、第１の昇降機構５４は、支柱５８と、下側プレート６０と、上側プレート６２と、一対のプーリ６４及び６６と、駆動チェーン６８と、第１のガイドポスト７０と、フットレバー７２と、第２のガイドポスト７４と、昇降プレート７６とを有している。
【００３６】
支柱５８は、支持プレート２６の上面に固定され、支持プレート２６の上面から上方に略垂直に延びている。下側プレート６０及び上側プレート６２はそれぞれ、支柱５８の下端部及び上端部に固定されている。下側プレート６０及び上側プレート６２は、互いに対向する位置に配置されている。
【００３７】
一対のプーリ６４及び６６はそれぞれ、支柱５８の上端部近傍及び下端部近傍に回転可能に支持されている。駆動チェーン６８は、一対のプーリ６４及び６６に回転可能に巻き掛けられている。なお、駆動チェーン６８に代えて、ワイヤーを一対のプーリ６４及び６６に回転可能に巻き掛けてもよい。
【００３８】
第１のガイドポスト７０は、下側プレート６０と上側プレート６２との間に固定され、略垂直に延びている。フットレバー７２は、左側フットレスト１０ａの昇降を操作するためのものであり、リニアブッシュ７８を介して第１のガイドポスト７０に昇降可能に支持されている。また、フットレバー７２は、駆動チェーン６８の一部に接続されている。
【００３９】
第２のガイドポスト７４は、下側プレート６０と上側プレート６２との間に固定され、略垂直に延びている。昇降プレート７６は、左側フットレスト１０ａを昇降させるためのものであり、リニアブッシュ８０を介して第２のガイドポスト７４に昇降可能に支持されている。また、昇降プレート７６は、駆動チェーン６８の一部に接続されている。
【００４０】
昇降プレート７６には、左側フットレスト１０ａが回動可能に支持されている。これにより、左側フットレスト１０ａは、Ｙ軸方向に延びる回動軸（図示せず）を中心に、略水平姿勢（図１参照）と略垂直姿勢（後述する図１０Ａ参照）との間を回動することができる。被介護者４が介護用椅子２に着座する場合には、左側フットレスト１０ａを略垂直姿勢から略水平姿勢に回動させる。一方、被介護者４が介護用椅子２に着座しない場合には、左側フットレスト１０ａを略水平姿勢から略垂直姿勢に回動させる。
【００４１】
次に、第１の昇降機構５４の動作について説明する。図３に示すように、フットレバー７２が左側フットレスト１０ａよりも上方に位置する状態から、例えば介護者がフットレバー７２を足で踏むことにより、フットレバー７２が第１のガイドポスト７０に沿って下降する。これに伴って、駆動チェーン６８が所定方向（図３において反時計方向）に回転することにより、昇降プレート７６は、駆動チェーン６８によって上方に引っ張られながら第２のガイドポスト７４に沿って上昇する。その結果、図２に示すように、左側フットレスト１０ａは、フットレバー７２よりも上方に位置するようになる。
【００４２】
一方、フットレバー７２が左側フットレスト１０ａよりも下方に位置する状態から、例えば介護者がフットレバー７２を足で持ち上げることにより、フットレバー７２が第１のガイドポスト７０に沿って上昇する。これに伴って、駆動チェーン６８が上記所定方向と反対方向（図３において時計方向）に回転することにより、昇降プレート７６は、駆動チェーン６８によって下方に引っ張られながら第２のガイドポスト７４に沿って下降する。その結果、図１に示すように、左側フットレスト１０ａは、フットレバー７２よりも下方に位置するようになる。
【００４３】
［１−５．左側アームレスト及び右側アームレスト］
次に、図１、図２及び図５〜図７を参照しながら、左側アームレスト１２ａ及び右側アームレスト１２ｂについて説明する。図５は、実施の形態１に係る右側アームレスト１２ｂの一部を拡大して示す斜視図である。図６は、図５のＶＩ−ＶＩ線断面斜視図である。図７は、図５のＶＩＩ−ＶＩＩ線断面斜視図である。
【００４４】
図１及び図２に示すように、左側アームレスト１２ａ及び右側アームレスト１２ｂはそれぞれ、着座した被介護者４の左腕及び右腕を支持するためのものであり、左右に配置されている。
【００４５】
左側アームレスト１２ａは、第３のフレーム２０に傾動可能に支持されている。また、右側アームレスト１２ｂは、第２のフレーム１８に傾動可能に支持されている。左側アームレスト１２ａ及び右側アームレスト１２ｂはそれぞれ独立して傾動することができる。左側アームレスト１２ａ及び右側アームレスト１２ｂの各々が傾動する最大角度θ（図２参照）は、例えば約３０°である。
【００４６】
図１及び図２に示すように、右側アームレスト１２ｂは、支持フレーム８２（右側支持フレームの一例）と、クッション部材８４とを有している。
【００４７】
支持フレーム８２は、例えば金属製のパイプ等で形成され、一対の回動部８２ａ及び８２ｂと、支持部８２ｃとを有している。一対の回動部８２ａ及び８２ｂはそれぞれ、第２のフレーム１８の両端部から互いに略平行に延びている。図５及び図６に示すように、一方の回動部８２ａの一端部は、第２のフレーム１８の一端部に回動可能に支持されている。また、図５及び図７に示すように、他方の回動部８２ｂの一端部は、第２のフレーム１８の他端部に回動可能に支持されている。なお、図７に示すように、他方の回動部８２ｂの一端部と第２のフレーム１８の他端部との間には、ねじりコイルバネ８６が配置されている。支持部８２ｃは、横長の略矩形状に形成され、他方の回動部８２ｂの他端部から介護用椅子２の前方（Ｙ軸のマイナス側）に向けて略水平に延びている。
【００４８】
クッション部材８４は、支持フレーム８２の支持部８２ｃに支持されている。クッション部材８４は、例えば数ｃｍ程度の厚みを有する略矩形状の平板状に形成されている。クッション部材８４は、柔軟性を有する材料で形成されている。
【００４９】
一対の回動部８２ａ及び８２ｂの各々が第２のフレーム１８を中心に回動することにより、右側アームレスト１２ｂは、略垂直姿勢（図１参照）と傾斜姿勢（図２参照）との間を傾動する。図１に示すように、右側アームレスト１２ｂは、略垂直姿勢では、第２のフレーム１８から上方に略垂直に延びるようになる。一方、図２に示すように、右側アームレスト１２ｂは、傾斜姿勢では、第２のフレーム１８よりも外側に斜め上方に延びるようになる。なお、右側アームレスト１２ｂは、ねじりコイルバネ８６の弾性復元力によって、傾斜姿勢から略垂直姿勢に向けて付勢されている。
【００５０】
また、図６に示すように、一方の回動部８２ａの一端部には、右側アームレスト１２ｂを略垂直姿勢で固定するためのロック機構８８が設けられている。ロック機構８８は、ロックレバー８８ａと、ロックレバー８８ａに設けられたロックピン８８ｂと、ロックレバー８８ａを付勢するコイルバネ８８ｃとを有している。ロックピン８８ｂは、コイルバネ８８ｃの弾性復元力によって、一方の回動部８２ａの一端部に形成された孔９０に挿入された状態に付勢されている。
【００５１】
ロックピン８８ｂが孔９０に挿入されることにより、ロック機構８８はロック状態となる。このロック状態では、右側アームレスト１２ｂが略垂直姿勢に固定され、右側アームレスト１２ｂの傾動動作がロックされる。一方、ロックレバー８８ａを操作することによってロックピン８８ｂが孔９０から引き抜かれることにより、ロック機構８８は解除状態となる。この解除状態では、右側アームレスト１２ｂの傾動動作が許容される。
【００５２】
図１及び図２に示すように、左側アームレスト１２ａは、支持フレーム９２（左側支持フレームの一例）と、クッション部材９４とを有している。
【００５３】
支持フレーム９２は、例えば金属製のパイプ等で形成され、一対の回動部９２ａ及び９２ｂと、支持部９２ｃとを有している。一対の回動部９２ａ及び９２ｂはそれぞれ、第３のフレーム２０の両端部から互いに略平行に延びている。一方の回動部９２ａの一端部は、第３のフレーム２０の一端部に回動可能に支持されている。また、他方の回動部９２ｂの一端部は、第３のフレーム２０の他端部に回動可能に支持されている。なお、他方の回動部９２ｂの一端部と第３のフレーム２０の他端部との間には、ねじりコイルバネ（図示せず）が配置されている。支持部９２ｃは、横長の略矩形状に形成され、他方の回動部９２ｂの他端部から介護用椅子２の前方に向けて略水平に延びている。
【００５４】
クッション部材９４は、支持フレーム９２の支持部９２ｃに支持されている。クッション部材９４は、例えば数ｃｍ程度の厚みを有する略矩形状の平板状に形成されている。クッション部材９４は、柔軟性を有する材料で形成されている。
【００５５】
一対の回動部９２ａ及び９２ｂの各々が第３のフレーム２０を中心に回動することにより、左側アームレスト１２ａは、略垂直姿勢（図１参照）と傾斜姿勢（後述する図１０Ｅ参照）との間を傾動する。図１に示すように、左側アームレスト１２ａは、略垂直姿勢では、第３のフレーム２０から上方に略垂直に延びるようになる。一方、後述する図１０Ｅに示すように、左側アームレスト１２ａは、傾斜姿勢では、第３のフレーム２０よりも外側に斜め上方に延びるようになる。なお、左側アームレスト１２ａは、ねじりコイルバネの弾性復元力によって、傾斜姿勢から略垂直姿勢に向けて付勢されている。
【００５６】
また、図１に示すように、一方の回動部９２ａの一端部には、左側アームレスト１２ａを略垂直姿勢に固定するためのロック機構９６が設けられている。ロック機構９６の構成は、上述したロック機構８８の構成と同一であるので、その説明を省略する。
【００５７】
なお、図１に示すように、一方の回動部９２ａの他端部と支持部９２ｃとの間には、略Ｕ字状の左側取っ手９８ａが接続されている。また、一方の回動部８２ａの他端部と支持部８２ｃとの間には、略Ｕ字状の右側取っ手９８ｂが接続されている。左側取っ手９８ａ及び右側取っ手９８ｂは、介護者又は着座している被介護者４が手で把持するためのものである。左側取っ手９８ａ及び右側取っ手９８ｂはそれぞれ、左側アームレスト１２ａ及び右側アームレスト１２ｂから介護用椅子２の前方に突出している。
【００５８】
［１−６．左側背もたれ部及び右側背もたれ部］
次に、図１、図８及び図９を参照しながら、左側背もたれ部１４ａ及び右側背もたれ部１４ｂについて説明する。図８は、実施の形態１に係る左側背もたれ部１４ａを拡大して示す斜視図である。図９は、図８のＩＸ−ＩＸ線断面斜視図である。
【００５９】
図１に示すように、左側背もたれ部１４ａ及び右側背もたれ部１４ｂはそれぞれ、着座した被介護者４の背中を支持するためのものであり、左右に配置されている。
【００６０】
図８及び図９に示すように、左側背もたれ部１４ａは、左側アームレスト１２ａを介して本体部６に回動可能に支持されている。具体的には、左側背もたれ部１４ａは、左側アームレスト１２ａの支持部９２ｃに回動可能に支持されている。左側背もたれ部１４ａは、略水平姿勢（図１において実線で示す）と略垂直姿勢（図１において二点鎖線で示す）との間を回動する。図１において実線で示すように、左側背もたれ部１４ａは、略水平姿勢では、略垂直姿勢の左側アームレスト１２ａから略水平に延びるようになる。一方、図１において二点鎖線で示すように、左側背もたれ部１４ａは、略垂直姿勢では、略垂直姿勢の左側アームレスト１２ａから上方に略垂直に延びるようになる。
【００６１】
また、右側背もたれ部１４ｂは、右側アームレスト１２ｂを介して本体部６に回動可能に支持されている。具体的には、右側背もたれ部１４ｂは、右側アームレスト１２ｂの支持部８２ｃに回動可能に支持されている。右側背もたれ部１４ｂは、略水平姿勢（図１において実線で示す）と略垂直姿勢（図１において二点鎖線で示す）との間を回動する。図１において実線で示すように、右側背もたれ部１４ｂは、略水平姿勢では、略垂直姿勢の左側アームレスト１２ａから略水平に延びるようになる。一方、図１において二点鎖線で示すように、右側背もたれ部１４ｂは、略垂直姿勢では、略垂直姿勢の右側アームレスト１２ｂから上方に略垂直に延びるようになる。
【００６２】
左側背もたれ部１４ａ及び右側背もたれ部１４ｂはそれぞれ独立して回動することができる。被介護者４が介護用椅子２に着座する場合には、左側背もたれ部１４ａ及び右側背もたれ部１４ｂの各々を略垂直姿勢から略水平姿勢に回動させる。この状態では、左側背もたれ部１４ａ及び右側背もたれ部１４ｂは、互いに向かい合うように配置される。一方、被介護者４が介護用椅子２に着座しない場合には、左側背もたれ部１４ａ及び右側背もたれ部１４ｂの各々を略水平姿勢から略垂直姿勢に回動させる。
【００６３】
なお、図２に示すように、左側背もたれ部１４ａ及び右側背もたれ部１４ｂはそれぞれ、左側アームレスト１２ａ及び右側アームレスト１２ｂが傾動した際に、左側アームレスト１２ａ及び右側アームレスト１２ｂと一体的に傾動する。
【００６４】
［１−７．介護用椅子の使用方法］
次に、図１０Ａ〜図１０Ｅ及び図１１を参照しながら、実施の形態１に係る介護用椅子２の使用方法について説明する。図１０Ａ〜図１０Ｅの各々は、実施の形態１に係る介護用椅子２の使用方法の一例を説明するための斜視図である。図１１は、実施の形態１に係る介護用椅子２の使用方法の他の例を説明するための斜視図である。
【００６５】
以下、介護用椅子２の使用方法の一例として、介護者が被介護者４をベッド１００から介護用椅子２に移乗させる場合について説明する。
【００６６】
まず、図１０Ａに示すように、介護者は、被介護者４を、ベッド１００の端部で座位姿勢を取らせる。その後、図１０Ｂに示すように、介護者は、介護用椅子２をベッド１００の端部に近付ける。これにより、第４のフレーム２２及び第５のフレーム２４の各々の他端部は、ベッド１００と床面１０２との間に差し込まれる。また、左側アームレスト１２ａ及び右側アームレスト１２ｂはそれぞれ、ベッド１００の上方において被介護者４の左側及び右側に位置するようになる。
【００６７】
なお、図１０Ａ及び図１０Ｂに示す状態では、左側座部８ａ及び右側座部８ｂはそれぞれ、第１の非支持位置及び第２の非支持位置に位置している。左側フットレスト１０ａ及び右側フットレスト１０ｂの各々は略垂直姿勢を取り、且つ、フットレバー７２よりも下側における下限位置に位置している。左側アームレスト１２ａ及び右側アームレスト１２ｂの各々は、略垂直姿勢を取っている。このとき、ロック機構８８及び９６の各々はロック状態となっているので、左側アームレスト１２ａ及び右側アームレスト１２ｂの各々は略垂直姿勢で固定されている。また、左側背もたれ部１４ａ及び右側背もたれ部１４ｂの各々は、略垂直姿勢を取っている。これにより、図１０Ｂに示すように介護用椅子２をベッド１００の端部に近付けた際に、介護用椅子２の各部品が被介護者４にぶつかることが無い。
【００６８】
その後、図１０Ｃに示すように、介護者は、左側背もたれ部１４ａ及び右側背もたれ部１４ｂの各々を略垂直姿勢から略水平姿勢に回動させ、且つ、左側フットレスト１０ａ及び右側フットレスト１０ｂの各々を略垂直姿勢から略水平姿勢に回動させる。その後、介護者は、被介護者４の左足及び右足をそれぞれ左側フットレスト１０ａ及び右側フットレスト１０ｂに載置させる。
【００６９】
その後、図１０Ｄに示すように、介護者は、第１の昇降機構５４のフットレバー７２を足で踏むことにより、左側フットレスト１０ａを下限位置から上限位置まで上昇させる。これにより、左側フットレスト１０ａが右側フットレスト１０ｂよりも上方に位置するので、被介護者４の左足が右足よりも上方に位置するようになる。
【００７０】
その後、図１０Ｄに示すように、介護者は、ロック機構８８を解除状態にした後に、右側アームレスト１２ｂを被介護者４の右腋窩部に挟ませた状態で被介護者４の上半身を右側に傾動させる。これにより、右側アームレスト１２ｂは、被介護者４の上半身とともに略垂直姿勢から傾斜姿勢に傾動する。このとき、右側アームレスト１２ｂのクッション部材８４は、被介護者４の右腋窩部から右下肋部まで（又は、右腋窩部から右側胸部まで）の部位を支持する。
【００７１】
このように、被介護者４の上半身が右側に傾動し、且つ、被介護者４の左足が右足よりも上方に位置した状態では、被介護者４の臀部の左半分がベッド１００の上面から浮き上がるようになる。この状態で、図１０Ｄに示すように、介護者は、左側座部８ａを第１の非支持位置から第１の支持位置に旋回させる。これにより、左側座部８ａは、被介護者４の臀部の左半分とベッド１００の上面との間に差し込まれる。その後、介護者は、被介護者４の上半身を真っ直ぐに戻させ、ロック機構８８をロック状態にする。
【００７２】
その後、図１０Ｅに示すように、介護者は、第１の昇降機構５４のフットレバー７２を足で持ち上げることにより、左側フットレスト１０ａを上限位置から下限位置まで下降させる。また、介護者は、第２の昇降機構５６のフットレバー７２を足で踏むことにより、右側フットレスト１０ｂを下限位置から上限位置まで上昇させる。これにより、右側フットレスト１０ｂが左側フットレスト１０ａよりも上方に位置するので、被介護者４の右足が左足よりも上方に位置するようになる。
【００７３】
その後、図１０Ｅに示すように、介護者は、ロック機構９６を解除状態にした後に、左側アームレスト１２ａを被介護者４の左腋窩部に挟ませた状態で被介護者４の上半身を左側に傾動させる。これにより、左側アームレスト１２ａは、被介護者４の上半身とともに略垂直姿勢から傾斜姿勢に傾動する。このとき、左側アームレスト１２ａのクッション部材９４は、被介護者４の左腋窩部から左下肋部まで（又は、左腋窩部から左側胸部まで）の部位を支持する。
【００７４】
このように、被介護者４の上半身が左側に傾動し、且つ、被介護者４の右足が左足よりも上方に位置した状態では、被介護者４の臀部の右半分がベッド１００の上面から浮き上がるようになる。この状態で、図１０Ｅに示すように、介護者は、右側座部８ｂを第２の非支持位置から第２の支持位置に旋回させる。これにより、右側座部８ｂは、被介護者４の臀部の右半分とベッド１００の上面との間に差し込まれる。
【００７５】
その後、介護者は、被介護者４の上半身を真っ直ぐに戻させ、ロック機構９６をロック状態にする。その後、介護者は、第２の昇降機構５６のフットレバー７２を足で持ち上げることにより、右側フットレスト１０ｂを上限位置から下限位置まで下降させる。これにより、被介護者４は、左側座部８ａ及び右側座部８ｂに着座した姿勢を取るようになる。
【００７６】
以上のようにして、被介護者４をベッド１００から介護用椅子２に移乗させることができる。その後、介護者は、左側取っ手９８ａ及び右側取っ手９８ｂをそれぞれ両手で把持して、介護用椅子２を前方に押しながら（又は手前に引きながら）歩くことにより、被介護者４を移動させることができる。このとき、被介護者４は、左側取っ手９８ａ及び右側取っ手９８ｂをそれぞれ両手で把持してもよい。
【００７７】
例えば、被介護者４をベッド１００からトイレまで移動させた場合には、図１１に示すように、左側座部８ａ及び右側座部８ｂはそれぞれ洋式便器５０の便座５２上で第１の支持位置及び第２の支持位置に位置するようになる。このとき、第１の凹部４６及び第２の凹部４８は便座５２の開口部５２ａを露出させるので、被介護者４は、左側座部８ａ及び右側座部８ｂに着座した状態で用を足すことができる。
【００７８】
なお、介護者が被介護者４のズボン等を脱衣又は着衣させる際には、上述と同様に、被介護者４の上半身が右側（又は左側）に傾動し、且つ、被介護者４の左足が右足よりも上方（又は、右足が左足よりも上方）に位置した姿勢を取らせればよい。これにより、被介護者４の臀部が左側座部８ａ及び右側座部８ｂから浮き上がるので、被介護者４のズボン等を容易に脱衣又は着衣させることができる。
【００７９】
なお、被介護者４を介護用椅子２からベッド１００に移乗させる際には、上述した図１０Ａ〜図１０Ｅの動作と逆の動作をすれば良い。
【００８０】
［１−８．効果］
上述したように、本実施の形態の介護用椅子２は、被介護者４が着座するための介護用椅子である。介護用椅子２は、本体部６と、本体部６を移動させるための前輪２８及び後輪３２と、本体部６にそれぞれが独立して移動可能に支持され、左右にそれぞれ配置された左側座部８ａ及び右側座部８ｂと、本体部６にそれぞれが独立して昇降可能に支持され、左右にそれぞれ配置された左側フットレスト１０ａ及び右側フットレスト１０ｂとを備える。左側座部８ａは、左側フットレスト１０ａが右側フットレスト１０ｂよりも上方に位置した状態で、被介護者４の臀部を支持する第１の支持位置と、被介護者４の臀部を支持しない第１の非支持位置との間を移動可能である。右側座部８ｂは、右側フットレスト１０ｂが左側フットレスト１０ａよりも上方に位置した状態で、被介護者４の臀部を支持する第２の支持位置と、被介護者４の臀部を支持しない第２の非支持位置との間を移動可能である。
【００８１】
これによれば、左側フットレスト１０ａが右側フットレスト１０ｂよりも上方に位置した状態では、被介護者４の左足が右足よりも上方に位置することにより、例えばベッド１００の端部等に着座している被介護者４の臀部の左半分が浮き上がるようになる。この状態で、左側座部８ａを第１の非支持位置から第１の支持位置に（又は、第１の支持位置から第１の非支持位置に）移動させることにより、左側座部８ａを被介護者４の臀部の下側に容易に差し込む（又は、被介護者４の臀部の下側から容易に抜き取る）ことができる。
【００８２】
同様に、右側フットレスト１０ｂが左側フットレスト１０ａよりも上方に位置した状態では、被介護者４の右足が左足よりも上方に位置することにより、例えばベッド１００の端部等に着座している被介護者４の臀部の右半分が浮き上がるようになる。この状態で、右側座部８ｂを第２の非支持位置から第２の支持位置に（又は、第２の支持位置から第２の非支持位置に）移動させることにより、右側座部８ｂを被介護者４の臀部の下側に容易に差し込む（又は、被介護者４の臀部の下側から容易に抜き取る）ことができる。
【００８３】
したがって、介護者は、被介護者４を例えばベッド１００の端部等に着座させたままで、被介護者４を例えばベッド１００と介護用椅子２との間で容易に移乗させることができる。その結果、介護者の身体的負担を大幅に減じることができる。
【００８４】
さらに、介護用椅子２は、本体部６にそれぞれが独立して傾動可能に支持され、左右にそれぞれ配置された左側アームレスト１２ａ及び右側アームレスト１２ｂを備える。左側アームレスト１２ａは、右側フットレスト１０ｂが左側フットレスト１０ａよりも上方に位置した状態で、本体部６よりも外側に傾動可能である。右側アームレスト１２ｂは、左側フットレスト１０ａが右側フットレスト１０ｂよりも上方に位置した状態で、本体部６よりも外側に傾動可能である。
【００８５】
これによれば、左側アームレスト１２ａが本体部６よりも外側に傾動し、且つ、右側フットレスト１０ｂが左側フットレスト１０ａよりも上方に位置することにより、例えばベッド１００の端部等に着座している被介護者４の臀部の右半分をより容易に浮き上がらせることができる。また、右側アームレスト１２ｂが本体部６よりも外側に傾動し、且つ、左側フットレスト１０ａが右側フットレスト１０ｂよりも上方に位置することにより、例えばベッド１００の端部等に着座している被介護者４の臀部の左半分をより容易に浮き上がらせることができる。
【００８６】
さらに、介護用椅子２は、左側アームレスト１２ａから前方に突出した左側取っ手９８ａと、右側アームレスト１２ｂから前方に突出した右側取っ手９８ｂとを備える。
【００８７】
これによれば、介護者は、左側取っ手９８ａ及び右側取っ手９８ｂをそれぞれ両手で把持することにより、介護用椅子２の移動を容易に行うことができる。また、被介護者４は、介護用椅子２に着座した状態で移動する際に、左側取っ手９８ａ及び右側取っ手９８ｂをそれぞれ両手で把持することにより、着座姿勢を安定させることができる。
【００８８】
さらに、左側アームレスト１２ａは、本体部６よりも外側に傾動した際に、着座している被介護者４の少なくとも左腋窩部を支持する。右側アームレスト１２ｂは、本体部６よりも外側に傾動した際に、着座している被介護者４の少なくとも右腋窩部を支持する。
【００８９】
これによれば、左側アームレスト１２ａは被介護者４の少なくとも左腋窩部を支持するので、被介護者４が左側アームレスト１２ａとともに左側に傾動した際に、被介護者４の姿勢を安定させることができる。また、右側アームレスト１２ｂは被介護者４の少なくとも右腋窩部を支持するので、被介護者４が右側アームレスト１２ｂとともに右側に傾動した際に、被介護者４の姿勢を安定させることができる。
【００９０】
さらに、介護用椅子２は、本体部６に回動可能に支持され、左右にそれぞれ配置された左側背もたれ部１４ａ及び右側背もたれ部１４ｂを備える。左側背もたれ部１４ａ及び右側背もたれ部１４ｂはそれぞれ、左側アームレスト１２ａ及び右側アームレスト１２ｂと一体的に傾動する。
【００９１】
これによれば、左側背もたれ部１４ａ及び右側背もたれ部１４ｂが本体部６に回動可能に支持されているので、着座している被介護者４の背中を左側背もたれ部１４ａ及び右側背もたれ部１４ｂにより支持することができる。また、被介護者４を移乗させる際には、左側背もたれ部１４ａ及び右側背もたれ部１４ｂを回動させることにより、左側背もたれ部１４ａ及び右側背もたれ部１４ｂが被介護者４にぶつかるのを抑制することができる。
【００９２】
さらに、左側座部８ａは、第１の支持位置から第１の非支持位置に移動することにより、略水平姿勢から略垂直姿勢に旋回する。右側座部８ｂは、第２の支持位置から第２の非支持位置に移動することにより、略水平姿勢から略垂直姿勢に旋回する。
【００９３】
これによれば、左側座部８ａ及び右側座部８ｂはそれぞれ、第１の非支持位置及び第２の非支持位置に位置させた際に略垂直姿勢を取るので、左側座部８ａ及び右側座部８ｂをコンパクトに配置することができる。
【００９４】
さらに、左側座部８ａは、右側座部８ｂに対向する位置に形成された第１の凹部４６を有する。右側座部８ｂは、左側座部８ａに対向する位置に形成された第２の凹部４８を有する。第１の凹部４６及び第２の凹部４８は、左側座部８ａ及び右側座部８ｂがそれぞれ洋式便器５０の便座５２上で第１の支持位置及び第２の支持位置に位置した際に、便座５２の開口部５２ａを露出させる。
【００９５】
これによれば、第１の凹部４６及び第２の凹部４８は、便座５２の開口部５２ａを露出させるので、被介護者４は、左側座部８ａ及び右側座部８ｂに着座した状態で用を足すことができる。
【００９６】
（実施の形態２）
次に、実施の形態２に係る介護用椅子について説明する。なお、以下の各実施の形態では、上記実施の形態１と同一の構成要素には同一の符号を付して、その説明を省略する。
【００９７】
［２−１．介護用椅子の構成］
図１２及び図１３を参照しながら、実施の形態２に係る介護用椅子２Ａの構成について説明する。図１２は、実施の形態２に係る介護用椅子２Ａの外観を示す斜視図である。図１３は、実施の形態２に係る左側座部８Ａａ及び右側座部８Ａｂを拡大して示す斜視図である。なお、説明の都合上、図１２及び図１３では、介護用椅子２Ａの構成要素の一部を省略又は簡略化して図示してある。
【００９８】
図１２に示すように、実施の形態２に係る介護用椅子２Ａは、上記実施の形態１で説明した構成要件に加えて、ハンドルバー１０４を備えている。ハンドルバー１０４は、略Ｕ字状に形成され、本体部６に回動可能に支持されている。ハンドルバー１０４は、本体部６から上方に延びる使用位置（図１２において実線で示す）と、本体部６から下方に延びる不使用位置（図１２において一点鎖線で示す）との間を回動する。
【００９９】
例えば被介護者４（図１０Ａ参照）をベッド１００（図１０Ａ参照）から介護用椅子２Ａに移乗させる際には、ハンドルバー１０４を不使用位置に位置させる。これにより、ハンドルバー１０４が被介護者４の移乗作業の邪魔になることが無い。
【０１００】
例えば被介護者４を介護用椅子２Ａで移動させる際には、ハンドルバー１０４を使用位置に位置させる。これにより、介護者は、ハンドルバー１０４を両手で把持しながら、介護用椅子２Ａを前方に押して（又は手前に引いて）歩くことができる。
【０１０１】
また、図１２に示すように、実施の形態２に係る介護用椅子２Ａでは、左側取っ手９８Ａａ及び右側取っ手９８Ａｂの各形状が上記実施の形態１と異なっている。左側取っ手９８Ａａ及び右側取っ手９８Ａｂの各々は、直線状に形成されている。
【０１０２】
また、図１３に示すように、実施の形態２に係る介護用椅子２Ａでは、左側座部８Ａａ及び右側座部８Ａｂをそれぞれ独立して移動させるための機構が上記実施の形態１と異なっている。
【０１０３】
左側座部８Ａａは、直線状のリンク１０６ａを介して本体部６にスライド移動可能に支持されている。リンク１０６ａの一端部は、回動軸１０８ａを介して本体部６に回動可能に支持されている。リンク１０６ａの他端部は、回動軸１１０ａを介して左側座部８Ａａに回動可能に支持されている。これにより、左側座部８Ａａは、第１の支持位置（図１２参照）と第１の非支持位置（図１３参照）との間を、略水平姿勢を保った状態でスライド移動する。なお、第１の非支持位置は、本体部６よりも左方外側の位置である。
【０１０４】
右側座部８Ａｂは、直線状のリンク１０６ｂを介して本体部６にスライド移動可能に支持されている。リンク１０６ｂの一端部は、回動軸１０８ｂを介して本体部６に回動可能に支持されている。リンク１０６ｂの他端部は、回動軸１１０ｂを介して右側座部８Ａｂに回動可能に支持されている。これにより、右側座部８Ａｂは、第２の支持位置（図１２及び図１３参照）と第２の非支持位置（図示せず）との間を、略水平姿勢を保った状態でスライド移動する。なお、第２の非支持位置は、本体部６よりも右方外側の位置であり、本体部６に対して第１の非支持位置と略対称な位置である。
【０１０５】
また、図１３に示すように、実施の形態２に係る介護用椅子２Ａは、左側座部８Ａａ及び右側座部８Ａｂをそれぞれ第１の支持位置及び第２の支持位置に固定するための固定部１１２を備えている。固定部１１２は、左側座部８Ａａに設けられた突部１１２ａと、右側座部８Ａｂに設けられた凹部１１２ｂとを有している。図１２に示すように、左側座部８Ａａ及び右側座部８Ａｂをそれぞれ第１の支持位置及び第２の支持位置に位置した際には、突部１１２ａが凹部１１２ｂに着脱可能に係合する。これにより、左側座部８Ａａ及び右側座部８Ａｂはそれぞれ、第１の支持位置及び第２の支持位置に固定される。
【０１０６】
［２−２．効果］
上述したように、本実施の形態の介護用椅子２Ａは、さらに、左側座部８Ａａ及び右側座部８Ａｂをそれぞれ第１の支持位置及び第２の支持位置に固定する固定部１１２を備える。
【０１０７】
これによれば、左側座部８Ａａ及び右側座部８Ａｂをそれぞれ第１の支持位置及び第２の支持位置に固定することにより、被介護者４は、左側座部８Ａａ及び右側座部８Ａｂに安定して着座することができる。
【０１０８】
さらに、左側座部８Ａａは、第１の支持位置と第１の非支持位置との間を、略水平姿勢を保った状態でスライド移動する。右側座部８Ａｂは、第２の支持位置と第２の非支持位置との間を、略水平姿勢を保った状態でスライド移動する。
【０１０９】
これによれば、左側座部８Ａａ及び右側座部８Ａｂの各々の移動を容易に行うことができる。
【０１１０】
（実施の形態３）
次に、図１４を参照しながら、実施の形態３に係る介護用椅子２Ｂの構成について説明する。図１４は、実施の形態３に係る介護用椅子２Ｂを示す平面図である。なお、説明の都合上、図１４では、介護用椅子２Ｂの構成要素の一部を省略又は簡略化して図示してある。
【０１１１】
図１４に示すように、実施の形態３に係る介護用椅子２Ｂでは、本体部６Ｂの前側における中央部には、連結部１１４が設けられている。本体部６Ｂは、連結部１１４を中心に左右に開閉することができる。
【０１１２】
以下、実施の形態３に係る介護用椅子２Ｂの使用方法について簡単に説明する。介護者は、ベッド１００（図１０Ａ参照）の端部で被介護者４（図１０Ａ参照）に座位姿勢を取らせた後に、図１４の（ｂ）に示すように本体部６Ｂを左右に開いた状態で、介護用椅子２Ｂをベッド１００の端部に近付ける。
【０１１３】
その後、介護者は、図１４の（ａ）に示すように本体部６Ｂを閉じることにより、左側座部８ａ及び右側座部８ｂを被介護者４の臀部とベッド１００との間に差し込むことができる。
【０１１４】
（実施の形態４）
［４−１．介護用椅子の構成］
次に、図１５及び図１６を参照しながら、実施の形態４に係る介護用椅子２Ｃの構成について説明する。図１５は、実施の形態４に係る介護用椅子２Ｃの構成を簡略的に示す図である。図１６は、実施の形態４に係る介護用椅子２Ｃの使用例を示す図である。図１６の（ａ）は、比較例に係る介護用椅子２’の使用例を示す図であり、図１６の（ｂ）は、実施の形態４に係る介護用椅子２Ｃの使用例を示す図である。
【０１１５】
図１５に示すように、実施の形態４に係る介護用椅子２Ｃでは、左側フットレスト１０Ｃａ及び右側フットレスト１０Ｃｂの各構成が上記実施の形態１と異なっている。具体的には、左側フットレスト１０Ｃａ及び右側フットレスト１０Ｃｂの各々は、下限位置から上限位置に向けて上昇している状態で（すなわち上昇中に）、略水平姿勢から傾斜姿勢に傾動する。これにより、左側フットレスト１０Ｃａ及び右側フットレスト１０Ｃｂの各々は、下限位置に位置した際には略水平姿勢となり、上限位置に位置した際には傾斜姿勢となる。
【０１１６】
左側フットレスト１０Ｃａは、傾斜姿勢では、水平方向（Ｘ軸方向）に対して且つ右側フットレスト１０Ｃｂに向けて下り傾斜する。右側フットレスト１０Ｃｂは、傾斜姿勢では、水平方向に対して且つ左側フットレスト１０Ｃａに向けて下り傾斜する。
【０１１７】
次に、左側フットレスト１０Ｃａを傾動させるための傾動機構１１６ａについて説明する。傾動機構１１６ａは、モータ１１８と、モータ側ギヤ１２０と、位置検出センサ（図示せず）と、制御部（図示せず）と、フットレスト側ギヤ１２２とを有している。
【０１１８】
モータ１１８は、左側フットレスト１０Ｃａに取り付けられ、正方向及び逆方向に回転可能な出力軸を有している。モータ側ギヤ１２０は、モータ１１８の出力軸に固定されている。位置検出センサは、左側フットレスト１０Ｃａの高さ位置（Ｚ軸方向における位置）を検出する。制御部は、位置検出センサからの検出信号に基づいて、モータ１１８の出力軸を正方向又は逆方向に回転させる。このとき、制御部は、左側フットレスト１０Ｃａの高さ位置と、モータ１１８の出力軸の回転数とを同期させる。フットレスト側ギヤ１２２は、左側フットレスト１０Ｃａに固定され、モータ側ギヤ１２０と噛み合わされている。
【０１１９】
左側フットレスト１０Ｃａが下限位置から上限位置に向けて上昇を開始した際には、制御部は、位置検出センサからの検出信号に基づいて、モータ１１８の出力軸を正方向（図１５において矢印Ｐで示す方向）に回転させる。これにより、モータ１１８の出力軸の回転がモータ側ギヤ１２０及びフットレスト側ギヤ１２２を介して左側フットレスト１０Ｃａに伝達されることにより、左側フットレスト１０Ｃａは、略水平姿勢から傾斜姿勢に向けて傾動を開始する。
【０１２０】
一方、左側フットレスト１０Ｃａが上限位置から下限位置に向けて下降を開始した際には、制御部は、位置検出センサからの検出信号に基づいて、モータ１１８の出力軸を逆方向（図１５において矢印Ｑで示す方向）に回転させる。これにより、モータ１１８の出力軸の回転がモータ側ギヤ１２０及びフットレスト側ギヤ１２２を介して左側フットレスト１０Ｃａに伝達されることにより、左側フットレスト１０Ｃａは、傾動姿勢から略水平姿勢に向けて傾動を開始する。
【０１２１】
なお、右側フットレスト１０Ｃｂを傾動させるための傾動機構１１６ｂの構成は、上述した傾動機構１１６ａの構成と同一であるため、その説明を省略する。
【０１２２】
以下、実施の形態４に係る介護用椅子２Ｃの使用方法について簡単に説明する。図１６の（ａ）に示すように、比較例に係る介護用椅子２’では、左側フットレスト１０ａ及び右側フットレスト１０ｂの各々は、略水平姿勢を保ちながら昇降する。そのため、例えば左側フットレスト１０ａが下限位置から上限位置に向けて上昇している際に、被介護者４の左膝が外側に開くと、被介護者４の上半身が右側に傾動し難くなる。その結果、被介護者４の臀部の左半分がベッド等（図示せず）の上面から浮き上がり難くなり、左側座部（図示せず）を被介護者４の臀部の下側に差し込み難くなる場合がある。
【０１２３】
これに対して、図１６の（ｂ）に示すように、実施の形態４に係る介護用椅子２Ｃでは、左側フットレスト１０Ｃａ及び右側フットレスト１０Ｃｂの各々は、下限位置から上限位置に向けて上昇している状態で、略水平姿勢から傾斜姿勢に傾動する。そのため、例えば左側フットレスト１０Ｃａが下限位置から上限位置に向けて上昇している際には、被介護者４の左膝が自然と内側に閉じるようになるため、被介護者４の上半身が右側に傾動し易くなる。その結果、被介護者４の臀部の左半分がベッド等（図示せず）の上面から浮き上がり易くなり、左側座部（図示せず）を被介護者４の臀部の下側に容易に差し込むことができる。
【０１２４】
同様に、右側フットレスト１０Ｃｂが下限位置から上限位置に向けて上昇している際には、被介護者４の右膝が自然と内側に閉じるようになるため、被介護者４の上半身が左側に傾動し易くなる。その結果、被介護者４の臀部の右半分がベッド等の上面から浮き上がり易くなり、右側座部（図示せず）を被介護者４の臀部の下側に容易に差し込むことができる。
【０１２５】
なお、左側フットレスト１０Ｃａ及び右側フットレスト１０Ｃｂの各々の水平方向に対する傾斜角度φ（図１５参照）は、１０°〜３０°であることが好ましい。傾斜角度φが３０°を超える場合には、被介護者４の左膝（右膝）が内側に閉じた際に、被介護者４の上半身が右側（左側）に倒れ過ぎてしまい、被介護者４の体のバランスが崩れるおそれがある。一方、傾斜角度φが１０°よりも小さい場合には、被介護者４の左膝（右膝）を効果的に内側に閉じさせることが難しい。
【０１２６】
［４−２．効果］
上述したように、本実施の形態の介護用椅子２Ｃは、左側フットレスト１０Ｃａ及び右側フットレスト１０Ｃｂの各々は、下限位置と上限位置との間を独立して昇降可能である。左側フットレスト１０Ｃａは、下限位置に位置した際には、水平方向に対して略平行な略水平姿勢となり、上限位置に位置した際には、水平方向に対して且つ右側フットレスト１０Ｃｂに向けて下り傾斜する傾斜姿勢となる。右側フットレスト１０Ｃｂは、下限位置に位置した際には、水平方向に対して略平行な略水平姿勢となり、上限位置に位置した際には、水平方向に対して且つ左側フットレスト１０Ｃａに向けて下り傾斜する傾斜姿勢となる。
【０１２７】
これによれば、左側フットレスト１０Ｃａが上限位置に位置した際には、被介護者４の左膝が自然と内側に閉じるようになるため、被介護者４の上半身が右側に傾動し易くなる。その結果、被介護者４の臀部の左半分がベッド等の上面から浮き上がり易くなり、左側座部を被介護者４の臀部の下側に容易に差し込むことができる。同様に、右側フットレスト１０Ｃｂが上限位置に位置した際には、被介護者４の右膝が自然と内側に閉じるようになるため、被介護者４の上半身が左側に傾動し易くなる。その結果、被介護者４の臀部の右半分がベッド等の上面から浮き上がり易くなり、右側座部を被介護者４の臀部の下側に容易に差し込むことができる。
【０１２８】
さらに、左側フットレスト１０Ｃａ及び右側フットレスト１０Ｃｂの各々は、下限位置から上限位置に上昇している状態で、略水平姿勢から傾斜姿勢に傾動する。
【０１２９】
これによれば、左側フットレスト１０Ｃａ（右側フットレスト１０Ｃｂ）の上昇に連動して、被介護者４の左膝（右膝）を徐々に内側に閉じさせることができ、被介護者４に違和感を与えるのを抑制することができる。
【０１３０】
なお、左側フットレスト１０Ｃａ及び右側フットレスト１０Ｃｂの各々は、上限位置に位置している状態で、略水平姿勢から傾斜姿勢に傾動するように構成してもよい。
【０１３１】
このとき、左側フットレスト１０Ｃａ及び右側フットレスト１０Ｃｂの各々は、下限位置から上限位置に向けて上昇している状態では略水平姿勢を保っており、上限位置に到達したタイミングで略水平姿勢から傾斜姿勢に傾動する。なお、左側フットレスト１０Ｃａ及び右側フットレスト１０Ｃｂの各々を傾動させるための機構としては、例えば上述した傾動機構１１６ａ，１１６ｂを用いることができる。
【０１３２】
さらに、左側フットレスト１０Ｃａ及び右側フットレスト１０Ｃｂの各々は、傾斜姿勢において水平方向に対して１０°〜３０°の角度で傾斜して配置される。
【０１３３】
これによれば、左側フットレスト１０Ｃａ（右側フットレスト１０Ｃｂ）が上限位置に位置した際に、被介護者４の体のバランスを保ちながら、被介護者４の左膝（右膝）を効果的に内側に閉じさせることができる。
【０１３４】
（実施の形態５）
次に、図１７を参照しながら、実施の形態５に係る介護用椅子２Ｄの構成について説明する。図１７は、実施の形態５に係る介護用椅子２Ｄの構成を簡略的に示す図である。なお、説明の都合上、図１７では、左側フットレストに関する構成の図示を省略してある。
【０１３５】
図１７に示すように、実施の形態５に係る介護用椅子２Ｄでは、右側フットレスト１０Ｄｂを傾動させるための傾動機構１１６Ｄｂの構成が上記実施の形態４と異なっている。具体的には、傾動機構１１６Ｄｂは、モータ１２４と、傾斜ボルト１２６と、ナット１２８と、位置検出センサ（図示せず）と、制御部（図示せず）とを有している。
【０１３６】
モータ１２４は、本体部６に取り付けられ、正方向及び逆方向に回転可能な出力軸を有している。傾斜ボルト１２６は、モータ１２４の出力軸に固定されており、本体部６に回転可能に支持されている。位置検出センサは、右側フットレスト１０Ｄｂの高さ位置（Ｚ軸方向における位置）を検出する。制御部は、位置検出センサからの検出信号に基づいて、モータ１２４の出力軸を正方向又は逆方向に回転させる。このとき、制御部は、右側フットレスト１０Ｄｂの高さ位置と、モータ１２４の出力軸の回転数とを同期させる。ナット１２８は、右側フットレスト１０Ｄｂを厚み方向に貫通するように配置されている。ナット１２８には、傾斜ボルト１２６が回転可能に捻じ込まれている。
【０１３７】
右側フットレスト１０Ｄｂが下限位置から上限位置に向けて上昇を開始した際には、制御部は、位置検出センサからの検出信号に基づいて、モータ１１８の出力軸を正方向（図１７において矢印Ｒで示す方向）に回転させる。これにより、傾斜ボルト１２６がナット１２８に対して正方向に回転することにより、右側フットレスト１０Ｄｂは、略水平姿勢から傾斜姿勢に向けて傾動を開始する。このとき、右側フットレスト１０Ｄｂの傾斜角度は、傾斜ボルト１２６のネジ山のピッチとモータ１２４の出力軸の回転数との関係から定まる。
【０１３８】
一方、右側フットレスト１０Ｄｂが上限位置から下限位置に向けて下降を開始した際には、制御部は、位置検出センサからの検出信号に基づいて、モータ１２４の出力軸を逆方向（図１７において矢印Ｓで示す方向）に回転させる。これにより、傾斜ボルト１２６がナット１２８に対して逆方向に回転することにより、右側フットレスト１０Ｄｂは、傾動姿勢から略水平姿勢に向けて傾動を開始する。
【０１３９】
なお、左側フットレスト（図示せず）を傾動させるための傾動機構（図示せず）の構成は、上述した傾動機構１１６Ｄｂの構成と同一であるため、その説明を省略する。
【０１４０】
したがって、本実施の形態においても、上記実施の形態４と同様の効果を得ることができる。
【０１４１】
（実施の形態６）
次に、図１８Ａ及び図１８Ｂを参照しながら、実施の形態６に係る介護用椅子２Ｅの構成について説明する。図１８Ａ及び図１８Ｂは、実施の形態６に係る介護用椅子２Ｅの構成を簡略的に示す図である。なお、説明の都合上、図１８Ａ及び図１８Ｂでは、左側フットレストに関する構成の図示を省略してある。
【０１４２】
図１８Ａ及び図１８Ｂに示すように、実施の形態６に係る介護用椅子２Ｅでは、右側フットレスト１０Ｅｂを傾動させるための傾動機構１１６Ｅｂの構成が上記実施の形態５と異なっている。具体的には、上記実施の形態５では、モータ１２４（図１７参照）により傾斜ボルト１２６を回転させたが、本実施の形態では、第２の昇降機構５６のプーリ６６の回転を利用して傾斜ボルト１２６を回転させる。
【０１４３】
傾動機構１１６Ｅｂは、上記実施の形態５で説明したモータ１２４に代えて、プーリ側傘歯車１３０と、傾斜ボルト側傘歯車１３２とを有している。プーリ側傘歯車１３０は、第２の昇降機構５６のプーリ６６の回転軸に固定されている。傾斜ボルト側傘歯車１３２は、傾斜ボルト１２６の下端部に固定され、プーリ側傘歯車１３０と噛み合わされている。
【０１４４】
図８Ａに示すように、フットレバー７２が右側フットレスト１０Ｅｂよりも上方に位置する状態から、例えば介護者がフットレバー７２を足で踏むことにより、右側フットレスト１０Ｅｂが下限位置から上限位置に向けて上昇を開始する。このとき、駆動チェーン６８が一対のプーリ６４及び６６の間を回転するのに伴って、一対のプーリ６４及び６６の各々が回転する。図１８Ｂに示すように、プーリ６６の回転がプーリ側傘歯車１３０及び傾斜ボルト側傘歯車１３２を介して傾斜ボルト１２６に伝達されることにより、傾斜ボルト１２６が正方向（図１８Ｂにおいて矢印Ｒで示す方向）に回転する。これにより、上記実施の形態５で説明したように、傾斜ボルト１２６がナット（図示せず）に対して正方向に回転することによって、右側フットレスト１０Ｅｂは、略水平姿勢から傾斜姿勢に向けて傾動を開始する。
【０１４５】
一方、フットレバー７２が右側フットレスト１０Ｅｂよりも下方に位置する状態から、例えば介護者がフットレバー７２を足で持ち上げることにより、右側フットレスト１０Ｅｂが上限位置から下限位置に向けて下降を開始する。このとき、駆動チェーン６８が一対のプーリ６４及び６６の間を回転するのに伴って、一対のプーリ６４及び６６の各々が回転する。図１８Ｂに示すように、プーリ６６の回転がプーリ側傘歯車１３０及び傾斜ボルト側傘歯車１３２を介して傾斜ボルト１２６に伝達されることにより、傾斜ボルト１２６が逆方向（図１８Ｂにおいて矢印Ｓで示す方向）に回転する。これにより、上記実施の形態５で説明したように、傾斜ボルト１２６がナットに対して逆方向に回転することによって、右側フットレスト１０Ｅｂは、傾斜姿勢から略水平姿勢に向けて傾動を開始する。
【０１４６】
なお、左側フットレスト（図示せず）を傾動させるための傾動機構（図示せず）の構成は、上述した傾動機構１１６Ｅｂの構成と同一であるため、その説明を省略する。
【０１４７】
したがって、本実施の形態においても、上記実施の形態４と同様の効果を得ることができる。
【０１４８】
（実施の形態７）
［７−１．介護用椅子の構成］
次に、図１９及び図２０を参照しながら、実施の形態７に係る介護用椅子２Ｆの構成について説明する。図１９は、実施の形態７に係る介護用椅子２Ｆの外観を示す斜視図である。図２０は、実施の形態７に係る介護用椅子２Ｆの第１の弾性部材１４０ａの機能を説明するための図である。
【０１４９】
図１９に示すように、実施の形態７に係る介護用椅子２Ｆでは、左側アームレスト１２Ｆａ及び右側アームレスト１２Ｆｂの各構成が上記実施の形態１と異なっている。具体的には、左側アームレスト１２Ｆａの支持フレーム９２の回動部９２ｂには接続ピン１３４ａが形成され、本体部６の第３のフレーム２０には接続部１３６ａが形成されている。接続部１３６ａはＺ軸方向に延び、その上端部には接続ピン１３８ａが形成されている。一対の接続ピン１３４ａ及び１３８ａの間には、第１の弾性部材１４０ａが接続されている。第１の弾性部材１４０ａは、コイルバネで構成され、支持フレーム９２の回動部９２ｂの長手方向に沿って伸縮可能に配置されている。
【０１５０】
右側アームレスト１２Ｆｂの支持フレーム８２の回動部８２ｂには接続ピン１３４ｂが形成され、本体部６の第２のフレーム１８には接続部１３６ｂが形成されている。接続部１３６ｂはＺ軸方向に延び、その上端部には接続ピン１３８ｂが形成されている。一対の接続ピン１３４ｂ及び１３８ｂの間には、第２の弾性部材１４０ｂが接続されている。第２の弾性部材１４０ｂは、コイルバネで構成され、支持フレーム８２の回動部８２ｂの長手方向に沿って伸縮可能に配置されている。
【０１５１】
以下、第１の弾性部材１４０ａの機能について説明する。図２０の（ａ）に示すように、左側アームレスト１２Ｆａが略垂直姿勢となっている際には、第１の弾性部材１４０ａは自然長となっている。図２０の（ｂ）に示すように、左側アームレスト１２Ｆａが略垂直姿勢から傾斜姿勢に（すなわち、本体部６よりも外側に）傾動した際には、第１の弾性部材１４０ａが自然長から伸長する。これにより、左側アームレスト１２Ｆａは、第１の弾性部材１４０ａによって傾斜姿勢から略垂直姿勢に向けて（すなわち、本体部６の内側に向けて）付勢される。
【０１５２】
被介護者（図示せず）が左側アームレスト１２Ｆａを左腋窩部に挟ませた状態で上半身を左側に傾動させた際には、左側アームレスト１２Ｆａは、第１の弾性部材１４０ａの付勢力を受けながら、被介護者の上半身とともに略垂直姿勢から傾斜姿勢に傾動する。これにより、左側アームレスト１２Ｆａが略垂直姿勢から傾斜姿勢に急激に傾動するのを抑制することができる。また、被介護者の上半身を真っ直ぐに戻す際には、左側アームレスト１２Ｆａを、第１の弾性部材１４０ａの付勢力により傾斜姿勢から略垂直姿勢に復帰させることができる。
【０１５３】
なお、第２の弾性部材１４０ｂの機能は、上述した第１の弾性部材１４０ａの機能と同様である。すなわち、右側アームレスト１２Ｆｂが略垂直姿勢から傾斜姿勢に傾動した際に、第２の弾性部材１４０ｂは、右側アームレスト１２Ｆｂを傾斜姿勢から略垂直姿勢に向けて付勢する。
【０１５４】
なお、本実施の形態では、第１の弾性部材１４０ａ及び第２の弾性部材１４０ｂの各々をコイルバネで構成したが、これに限定されず、例えば伸縮可能なゴム等で構成してもよい。
【０１５５】
［７−２．効果］
上述したように、本実施の形態の介護用椅子２Ｆは、さらに、左側アームレスト１２Ｆａが本体部６よりも外側に傾動した際に、左側アームレスト１２Ｆａを本体部６の内側に向けて付勢する第１の弾性部材１４０ａと、右側アームレスト１２Ｆｂが本体部６よりも外側に傾動した際に、右側アームレスト１２Ｆｂを本体部６の内側に向けて付勢する第２の弾性部材１４０ｂとを備える。
【０１５６】
これによれば、被介護者の上半身を左側に傾動させる際に、第１の弾性部材１４０ａの付勢力により、左側アームレスト１２Ｆａが本体部６の外側に急激に傾動するのを抑制することができる。また、被介護者の上半身を真っ直ぐに戻す際には、左側アームレスト１２Ｆａを、第１の弾性部材１４０ａの付勢力により元の略垂直姿勢に復帰させることができる。
【０１５７】
同様に、被介護者の上半身を右側に傾動させる際に、第２の弾性部材１４０ｂの付勢力により、右側アームレスト１２Ｆｂが本体部６の外側に急激に傾動するのを抑制することができる。また、被介護者の上半身を真っ直ぐに戻す際には、右側アームレスト１２Ｆｂを、第２の弾性部材１４０ｂの付勢力により元の略垂直姿勢に復帰させることができる。
【０１５８】
さらに、左側アームレスト１２Ｆａは、本体部６に傾動可能に支持された支持フレーム９２を有する。右側アームレスト１２Ｆｂは、本体部６に傾動可能に支持された支持フレーム８２を有する。第１の弾性部材１４０ａは、コイルバネで構成され、支持フレーム９２に沿って伸縮可能に配置されている。第２の弾性部材１４０ｂは、コイルバネで構成され、支持フレーム８２に沿って伸縮可能に配置されている。
【０１５９】
これによれば、第１の弾性部材１４０ａ及び第２の弾性部材１４０ｂの省スペース化を図ることができる。
【０１６０】
（実施の形態８）
［８−１．介護用椅子の構成］
次に、図２１を参照しながら、実施の形態８に係る介護用椅子２Ｇの構成について説明する。図２１は、実施の形態８に係る介護用椅子２Ｇの第１の弾性部材１４０ａの機能を説明するための図である。
【０１６１】
図２１に示すように、実施の形態８に係る介護用椅子２Ｇでは、第１の弾性部材１４０ａ及び第２の弾性部材（図示せず）の各配置が上記実施の形態７と異なっている。
【０１６２】
接続部１３６Ｇａの長さは、上記実施の形態７の接続部１３６ａ（図２０参照）の長さよりも長く、その先端部は、接続ピン１３４ａの近傍に配置されている。これにより、第１の弾性部材１４０ａは、水平方向（Ｘ軸方向）に沿って伸縮可能に配置されている。
【０１６３】
なお、第２の弾性部材１４０ｂの配置については、第１の弾性部材１４０ａの配置と同様であるため、その説明を省略する。
【０１６４】
［８−２．効果］
上述したように、本実施の形態の介護用椅子２Ｇは、第１の弾性部材１４０ａ及び第２の弾性部材１４０ｂの各々は、コイルバネで構成され、水平方向に沿って伸縮可能に配置されている。
【０１６５】
これによれば、第１の弾性部材１４０ａ及び第２の弾性部材１４０ｂの各々の伸縮量をより大きくすることができる。
【０１６６】
（実施の形態９）
［９−１．介護用椅子の構成］
次に、図２２を参照しながら、実施の形態９に係る介護用椅子２Ｈの構成について説明する。図２２は、実施の形態９に係る介護用椅子２Ｈの外観を示す斜視図である。
【０１６７】
図２２に示すように、実施の形態９に係る介護用椅子２Ｈは、上記実施の形態１で説明した構成要件に加えて、一対の補助車輪１４２を備えている。一対の補助車輪１４２はそれぞれ、本体部６の左右の外側に配置され、本体部６に昇降可能に支持されている。なお、一対の補助車輪１４２の前後方向（Ｙ軸方向）における位置は、例えば介護用椅子２Ｈの重心に対応する位置等、任意の位置でよい。一対の補助車輪１４２の昇降動作は、手動又は自動で行われる。また、一対の補助車輪１４２の各々は、例えば固定キャスタであり、前輪２８及び後輪３２よりも大径である。
【０１６８】
例えば被介護者（図示せず）をベッド（図示せず）から介護用椅子２Ｈに移乗させる際には、図２２において二点鎖線で示すように、一対の補助車輪１４２の各々を上昇させて床面から浮かせておく。これにより、介護用椅子２Ｈは、比較的小径の一対の前輪２８及び複数の後輪３２により移動されるので、介護用椅子２Ｈの移動方向を細かく調節することができる。
【０１６９】
また、被介護者を介護用椅子２Ｈに載せた状態で移動させる際には、図２２において実線で示すように、一対の補助車輪１４２の各々を下降させて床面に接触させる。これにより、介護用椅子２Ｈは、比較的小径の一対の前輪２８及び複数の後輪３２と、比較的大径の一対の補助車輪１４２とにより移動されるので、例えば床面に段差等がある場合であっても、介護用椅子２Ｈをスムーズに移動させることができる。
【０１７０】
なお、一対の補助車輪１４２の各々をモータ等で回転させることにより、介護用椅子２Ｈを電動車椅子として用いてもよい。
【０１７１】
［９−２．効果］
上述したように、本実施の形態の介護用椅子２Ｈは、さらに、本体部６に昇降可能に支持され、前輪２８及び後輪３２よりも大径の補助車輪１４２を備える。
【０１７２】
これによれば、介護用椅子２Ｈをスムーズに移動させることができる。
【０１７３】
（変形例等）
以上、本発明について実施の形態１〜９に基づいて説明したが、本発明は、上記の実施の形態１〜９に限定されるものではない。
【０１７４】
例えば、介護用椅子２（２Ａ，２Ｂ，２Ｃ，２Ｄ，２Ｅ，２Ｆ、２Ｇ，２Ｈ）は、右側アームレスト１２ｂ（１２Ｆｂ）の傾動動作と左側フットレスト１０ａ（１０Ｃａ）の昇降動作とを連動させ、且つ、左側アームレスト１２ａ（１２Ｆａ，１２Ｇａ）の傾動動作と右側フットレスト１０ｂ（１０Ｃｂ，１０Ｄｂ，１０Ｅｂ）の昇降動作とを連動させる連動機構を備えてもよい。
【０１７５】
この場合、連動機構は、例えば、左側アームレスト１２ａ（１２Ｆａ，１２Ｇａ）及び右側アームレスト１２ｂ（１２Ｆｂ）の各傾動動作を検知するセンサと、センサからの検知信号に基づいて左側フットレスト１０ａ（１０Ｃａ）及び右側フットレスト１０ｂ（１０Ｃｂ，１０Ｄｂ，１０Ｅｂ）の各々を昇降させるアクチュエータとを有する。
【０１７６】
センサが右側アームレスト１２ｂ（１２Ｆｂ）の略垂直姿勢から傾斜姿勢への動作（又は、傾斜姿勢から略垂直姿勢への動作）を検知した際に、アクチュエータは、センサからの検知信号に基づいて左側フットレスト１０ａ（１０Ｃａ）を自動的に上昇（又は下降）させる。また、センサが左側アームレスト１２ａ（１２Ｆａ，１２Ｇａ）の略垂直姿勢から傾斜姿勢への動作（又は、傾斜姿勢から略垂直姿勢への動作）を検知した際に、アクチュエータは、センサからの検知信号に基づいて右側フットレスト１０ｂ（１０Ｃｂ，１０Ｄｂ，１０Ｅｂ）を自動的に上昇（又は下降）させる。
【０１７７】
これによれば、被介護者４の移乗作業をより一層効率良く行うことができる。なお、連動機構は、上述したように電気的に連動させる場合に限定されず、機械的に連動させるようにしてもよい。
【０１７８】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１７９】
２，２’，２Ａ，２Ｂ，２Ｃ，２Ｄ，２Ｅ，２Ｆ，２Ｇ，２Ｈ  介護用椅子
４  被介護者
６  本体部
８ａ，８Ａａ  左側座部
８ｂ，８Ａｂ  右側座部
１０ａ，１０Ｃａ  左側フットレスト
１０ｂ，１０Ｃｂ，１０Ｄｂ，１０Ｅｂ  右側フットレスト
１２ａ，１２Ｆａ，１２Ｇａ  左側アームレスト
１２ｂ，１２Ｆｂ  右側アームレスト
１４ａ  左側背もたれ部
１４ｂ  右側背もたれ部
２８  前輪（車輪）
３２  後輪（車輪）
４６  第１の凹部
４８  第２の凹部
５０  便器
５２  便座
５２ａ  開口部
８２  支持フレーム（右側支持フレーム）
９２  支持フレーム（左側支持フレーム）
９８ａ，９８Ａａ  左側取っ手
９８ｂ，９８Ａｂ  右側取っ手
１１２  固定部
１４０ａ  第１の弾性部材
１４０ｂ  第２の弾性部材
１４２  補助車輪
【図１】
2018023752.tif 000003
【図２】
2018023752.tif 000004
【図３】
2018023752.tif 000005
【図４】
2018023752.tif 000006
【図５】
2018023752.tif 000007
【図６】
2018023752.tif 000008
【図７】
2018023752.tif 000009
【図８】
2018023752.tif 000010
【図９】
2018023752.tif 000011
【図１０Ａ】
2018023752.tif 000012
【図１０Ｂ】
2018023752.tif 000013
【図１０Ｃ】
2018023752.tif 000014
【図１０Ｄ】
2018023752.tif 000015
【図１０Ｅ】
2018023752.tif 000016
【図１１】
2018023752.tif 000017
【図１２】
2018023752.tif 000018
【図１３】
2018023752.tif 000019
【図１４】
2018023752.tif 000020
【図１５】
2018023752.tif 000021
【図１６】
2018023752.tif 000022
【図１７】
2018023752.tif 000023
【図１８Ａ】
2018023752.tif 000024
【図１８Ｂ】
2018023752.tif 000025
【図１９】
2018023752.tif 000026
【図２０】
2018023752.tif 000027
【図２１】
2018023752.tif 000028
【図２２】
2018023752.tif 000029